(57)【要約】【課題】吸着孔に起因して形成する記録画像の画質が損なわれるのを防止した、液滴吐出装置を提供する。【解決手段】記録媒体を保持する媒体保持部３３ａと、紫外線硬化性を有する成分を含む機能液を媒体保持部に保持された記録媒体に向けて吐出する吐出ヘッドと、媒体保持部３３ａに保持された記録媒体に向けて紫外線を照射する照射装置と、を備える液滴吐出装置である。媒体保持部３３ａには、記録媒体を保持する側の面に、記録媒体を吸着する複数の吸着孔６３が設けられている。吸着孔６３は、その孔径が０．６ｍｍ以下である。【選択図】図２
2015127146.tif 000002
【特許請求の範囲】
【請求項１】
記録媒体を保持する媒体保持部と、紫外線硬化性を有する成分を含む機能液を前記媒体保持部に保持された前記記録媒体に向けて吐出する吐出ヘッドと、前記媒体保持部に保持された前記記録媒体に向けて紫外線を照射する照射装置と、を備える液滴吐出装置であって、
前記媒体保持部には、前記記録媒体を保持する側の面に、前記記録媒体を吸着する複数の吸着孔が設けられ、該吸着孔は、その孔径が０．６ｍｍ以下であることを特徴とする液滴吐出装置。
【請求項２】
前記媒体保持部は、負圧源に接続する吸着溝を有したテーブルと、該テーブル上に設けられた保持板とを備えてなり、該保持板に、前記吸着溝に連通して前記吸着孔が形成されていることを特徴とする請求項１記載の液滴吐出装置。
【請求項３】
前記吸着孔は、前記保持板において縦横にそれぞれ複数列ずつ配置されていることを特徴とする請求項１又は２に記載の液滴吐出装置。
【請求項４】
前記記録媒体として、透光性の記録媒体が用いられることを特徴とする請求項１〜３のいずれか一項に記載の液滴吐出装置。
【発明の詳細な説明】
【技術分野】
【０００１】
本発明は、液滴吐出装置に関する。
【背景技術】
【０００２】
従来、普通紙を代表とする様々な記録媒体に対して印刷可能な記録装置として、インクジェット記録装置（液滴吐出装置）が知られている。インクジェット記録装置は、記録ヘッド（吐出ヘッド）の記録媒体に対向する面に設けられた吐出口（ノズル）から、色材であるカラーインクや、アンダーコート、オーバーコートを行うためのクリアインクを直接記録媒体に対して吐出し、記録媒体上に着弾させて浸透もしくは定着させることにより、記録媒体上に画像等を形成する装置である。
【０００３】
このようなインクジェット記録装置を用い、インク吸収性を有さない樹脂や金属等の材料からなる記録媒体に対して、画像等の記録を行う場合がある。その場合、このような記録媒体に対してインクを定着させるため、例えば紫外線照射によって硬化する光硬化型インクが用いられる。この光硬化型インクを用いるインクジェット記録装置では、インクを硬化させるための紫外線照射装置を備えており、記録媒体に画像を記録する際、インクを記録媒体に着弾させた直後に、インクの硬化が可能な条件で紫外線照射装置から紫外線を照射し、インクを硬化定着させるようにしている。
【０００４】
このような光硬化型インクで記録媒体に記録を行う記録装置では、照射した紫外線のエネルギーをより効率的に利用し、印刷速度の向上等を図るべく、記録媒体を支持するプラテン等に反射層を設けたものが提案されている（例えば、特許文献１参照）。
【先行技術文献】
【特許文献】
【０００５】
【特許文献１】特開２００８−２３８４５４号公報
【発明の概要】
【発明が解決しようとする課題】
【０００６】
ところで、前記インクジェット記録装置には、以下に述べる改善すべき課題がある。
前記インクジェット記録装置によって記録媒体に記録を行う際には、記録媒体を保持するステージ等の媒体保持によって記録媒体を保持するが、媒体保持部は記録時に記録媒体を保持した状態で走査されるため、媒体保持部をその保持面上に固定しておく必要がある。そこで、通常は負圧源に接続する吸着溝や吸着孔により、媒体保持部を保持面上に吸着保持するようにしている。
【０００７】
しかしながら、特に記録媒体が透光性の樹脂などである場合には、記録媒体にインクを吐出した後、紫外線を照射した際、照射された紫外線が記録媒体を透過し、媒体保持部の保持面で反射して再度記録媒体を透過することで、記録媒体上のインクの硬化に一部影響を与える。すなわち、記録媒体上に着弾したインクは、紫外線の照射を受けて硬化を始めるものの、瞬時に硬化するわけではなく、したがって反射した紫外線を受けることでその硬化がさらに進められるようになる。
【０００８】
ところが、媒体保持部に吸着溝や吸着孔があり、その開口が保持面上に位置していることから、記録媒体を透過してこれら吸着溝や吸着孔の開口内に入射した紫外線は、吸着溝や吸着孔の開口が無い部位での反射とは異なり、例えば散乱や吸収を起こす。その結果、吸着溝や吸着孔の開口が有る部位と無い部位とでは反射率に差が生じ、形成する記録画像の画質に影響を与えてしまう。すなわち、吸着溝や吸着孔の開口形状等が記録画像に反映されてしまい、形成する記録画像の画質を損なってしまうことがある。
【０００９】
本発明は前記事情に鑑みてなされたもので、その目的とするところは、吸着孔に起因して形成する記録画像の画質が損なわれるのを防止した、液滴吐出装置を提供することにある。
【課題を解決するための手段】
【００１０】
本発明の液滴吐出装置は、記録媒体を保持する媒体保持部と、紫外線硬化性を有する成分を含む機能液を前記媒体保持部に保持された前記記録媒体に向けて吐出する吐出ヘッドと、前記媒体保持部に保持された前記記録媒体に向けて紫外線を照射する照射装置と、を備える液滴吐出装置であって、
前記媒体保持部には、前記記録媒体を保持する側の面に、前記記録媒体を吸着する複数の吸着孔が設けられ、該吸着孔は、その孔径が０．６ｍｍ以下であることを特徴としている。
【００１１】
この液滴吐出装置によれば、吸着孔の孔径を０．６ｍｍ以下としたので、後述する実験データから明らかなように、記録媒体の記録画像に該吸着孔が影響するのを抑制することができ、得られる記録画像の画質が損なわれるのを防止することができる。
【００１２】
また、前記液滴吐出装置において、前記媒体保持部は、負圧源に接続する吸着溝を有したテーブルと、該テーブル上に設けられた保持板とを備えてなり、該保持板に、前記吸着溝に連通して前記吸着孔が形成されているのが好ましい。
このようにすれば、保持板のみに吸着孔を形成することで、吸着孔の加工が容易になる。また、吸着孔にインクあるいはインクミストが付着するなど保持板に不具合が生じた際に、保持板のみを交換することが可能になるため、メンテナンスコストを抑えることができる。
【００１３】
また、前記液滴吐出装置において、前記吸着孔は、前記保持板において縦横にそれぞれ複数列ずつ配置されているのが好ましい。
このようにすれば、記録媒体に対する吸着保持力が安定し、したがって保持板上に記録媒体を安定して保持することができる。
【００１４】
また、前記液滴吐出装置においては、前記記録媒体として、透光性の記録媒体が用いられるのが好ましい。
透光性の記録媒体は、紫外線を透過して媒体保持部の保持面で反射させるため、保持面の吸着孔の影響を受け易いものの、前述したように吸着孔の孔径を０．６ｍｍ以下としたので、該吸着孔に起因して記録画像の画質が損なわれるのが防止される。
【図面の簡単な説明】
【００１５】
【図１】（ａ）は本発明に係る液滴吐出装置の平面図、（ｂ）は同じく側面図である。
【図２】（ａ）は吸着テーブルの側断面図、（ｂ）はテーブルの平面図、（ｃ）は保持板の平面図である。
【図３】（ａ）〜（ｃ）は吐出ヘッドの概略構成を説明するための図である。
【図４】ヘッドユニットの概略構成を示す底面図である。
【発明を実施するための形態】
【００１６】
以下、本発明における液滴吐出装置の実施形態について、図面を参照して説明する。なお、以下の説明に用いる各図面では、各部材を認識可能な大きさとするため、各部材の縮尺を適宜変更している。
【００１７】
図１（ａ）、（ｂ）は、本発明における液滴吐出装置の一実施形態の概略構成を示す模式図であって、（ａ）は液滴吐出装置の平面図、（ｂ）は液滴吐出装置の側面図である。なお、図１（ａ）、（ｂ）では、本発明の液滴吐出装置を、連続した長尺な記録媒体に対して印刷を行う、印刷装置に適用した場合について示している。図１（ａ）、（ｂ）において符号１は液滴吐出装置であり、この液滴吐出装置１は、機能液として紫外線硬化型インクを液滴吐出する吐出ヘッド２０と、この吐出ヘッド２０から吐出された紫外線硬化型インクに紫外線を照射する照射装置（図示せず）と、吐出ヘッド２０を有するヘッド機構部２と、供給排出機構部３と、インク供給部（図示せず）と、メンテナンス部５と、を備えて構成されている。
【００１８】
吐出ヘッド２０は、インクジェット方式の吐出ヘッドであって、紫外線硬化性を有する成分を含むインク、すなわち紫外線硬化型インクを液滴として、連続した長尺な帯状の記録媒体１０の被記録箇所となる表面に向けて吐出するものである。ここで、記録媒体１０としては、本実施形態では紫外線硬化型インクによる記録が可能な透光性の媒体が用いられ、具体的には、ポリエチレンテレフタレート（ＰＥＴ）やポリエチレン（ＰＥ）、ポリカーボネイト（ＰＣ）などの透光性のフレキシブルフィルムが用いられる。
【００１９】
供給排出機構部３は、記録媒体１０を吐出ヘッド２０による記録位置に供給し、また、この記録位置から排出するものである。インク供給部は、貯留タンク（図示せず）に貯留したインクを吐出ヘッド２０に供給するためのものである。メンテナンス部５は、吐出ヘッド２０の保守を行うものである。また、液滴吐出装置１には、これら各機構部等を総括的に制御する制御部（図示せず）が設けられている。
【００２０】
供給排出機構部３は、供給リール３１と、巻取リール３２と、吸着ユニット３３と、アイドラローラー３７と、アイドラローラー３８と、Ｙ軸走査機構４２と、を備えて構成されている。
Ｙ軸走査機構４２は、Ｙ軸ガイドレール４２ａとＹ軸スライダー４２ｂとを、それぞれ二組ずつ備えて構成されている。吸着ユニット３３は、本発明における媒体保持部となる吸着テーブル３３ａと、テーブル台４３と、テーブル昇降機構４４と、供給ローラー３４と、従動ローラー３４ａと、媒体送りローラー３６と、従動ローラー３６ａと、を備えて構成されている。各リール、及び各ローラーは、それぞれ回転軸まわりに回転可能になっており、それぞれの回転軸は互いに略平行になっている。
記録媒体１０が送られる方向は、互いに略平行な各リール、及び各ローラーの回転軸に略直交する方向となっている。なお、各リール、及び各ローラーの回転軸の軸方向に平行な方向をＸ軸方向と表記し、記録媒体１０の送り方向をＹ軸方向と表記している。
【００２１】
Ｙ軸走査機構４２のＹ軸ガイドレール４２ａは、吸着テーブル３３ａを挟んでＸ軸方向の両側にそれぞれ１つずつ配設されており、Ｙ軸方向に延在している。Ｙ軸スライダー４２ｂは、テーブル台４３の底面に設けられ、その状態でＹ軸ガイドレール４２ａ上に配設されたもので、Ｙ軸駆動モーター（図示せず）によってＹ軸ガイドレール４２ａ上をその延在方向に摺動するように構成されたものである。
【００２２】
吸着ユニット３３の吸着テーブル（媒体保持部）３３ａは、テーブル台４３上に固定されたテーブル昇降機構４４に固定されたものである。この吸着テーブル（媒体保持部）３３ａは、本実施形態では側断面図である図２（ａ）に示すようにテーブル昇降機構４４に固定されたテーブル６０と、このテーブル６０上に載置され螺子止め等によって着脱可能に固定された保持板６１と、を備えて構成されたもので、保持板６１の上面上に記録媒体１０を保持するよう構成されたものである。
【００２３】
テーブル６０は、その平面図である図２（ｂ）に示すように平面視矩形状のもので、その上面の中央部に小さい矩形枠状の吸着溝６２ａを形成し、その外側に大きい矩形枠状の吸着溝６２ｂを形成したものである。すなわち、テーブル６０の上面に、吸着溝６２ａ、６２ｂの開口を配したものである。これら吸着溝６２ａ、６２ｂは、テーブル６０内を通る配管（図示せず）を介してテーブル６０の外部に配置された図示しない吸引ポンプ（負圧源）に接続されており、これによってその開口から所定圧（例えば−７０ｋＰａの吸引圧）で吸引するようになっている。
【００２４】
保持板６１は、ＳＵＳ等の金属からなる矩形状の板体であって、例えば厚さが０．３ｍｍ〜１．０ｍｍ程度のものである。この保持板６１には、その平面図である図２（ｃ）に示すように、その表面（上面）から裏面（下面）に貫通する吸着孔６３が多数形成されている。本実施形態では、縦横にそれぞれ９列ずつ吸着孔６３が形成配置されており、合計８１個の貫通孔が形成されている。これら吸着孔６３は、例えば縦、横、共にピッチが１０ｍｍに形成配置されており、それぞれその孔径が、０．６ｍｍ以下に形成されている。
【００２５】
このような吸着孔６３を形成した保持板６１は、前記テーブル６０の上面に載置され、該上面との間に僅かな間隙を介して固定されることで、前記間隙を介して前記吸着溝６２ａ、６２ｂに連通している。すなわち、例えばテーブル６０の上面が粗面になっていたり、又は保持板６１の裏面（下面）が粗面になっていることにより、このテーブル６０の上面と保持板６１の裏面との間に間隙が形成されるようになっている。なお、このような間隙がより確実に形成されるように、例えばテーブル６０の上面又は保持板６１の裏面の外周部に矩形枠状の凸部（図示せず）を形成しておき、該凸部をテーブル６０の上面と保持板６１の裏面との間に介在させることにより、これらテーブル６０の上面と保持板６１の裏面との間に気密に間隙を形成してもよい。
【００２６】
このように間隙を形成することにより、保持板６１の各吸着孔６３は、前記間隙を介して前記吸着溝６２ａ、６２ｂに連通するようになる。したがって、前記吸引ポンプで吸着溝６２ａ、６２ｂが吸引されると、これら吸着溝６２ａ、６２ｂに連通する吸着孔６３も、その表面に形成した開口から吸引するようになっている。
なお、保持板６１の表面（上面）については、裏面（下面）とは異なり、研磨加工されているのが好ましく、このように研磨加工されていることにより、吸着孔６３の開口以外の部位ではそのほぼ全域が同じ反射率を有するようになっている。
【００２７】
このような構成のもとに、保持板６１の表面（上面）は記録媒体１０を保持する保持面となっており、吸着孔６３による吸引によってこの保持面に記録媒体１０を吸着保持するようになっている。すなわち、記録媒体１０はその所定部位が保持面上に位置決めされた状態で吸着孔６３によって吸引・吸着されることにより、保持面上に保持固定されるようになっている。そして、このように保持面上に保持固定された状態で、前記吐出ヘッド２０から紫外線硬化型インクが吐出され、このインクの液滴が記録媒体１０上に着弾するようになっている。
【００２８】
図１（ａ）、（ｂ）に示すように前記テーブル昇降機構４４は、吸着テーブル３３ａをＺ軸方向に昇降させるもので、吸着テーブル３３ａの保持面（吸着面）をＺ軸方向における所定の位置となる吸着位置、及びこの吸着位置よりテーブル台４３に近い退避位置との間で昇降させ、かつ、各位置にて保持固定するようになっている。吸着位置にあるときの吸着テーブル３３ａの保持面の位置は、後述する供給ローラー３４の外周、及び媒体送りローラー３６の外周のそれぞれの上端の位置に、略一致している。
【００２９】
吸着テーブル３３ａのＹ軸方向における両側には、供給ローラー３４及び従動ローラー３４ａと、媒体送りローラー３６及び従動ローラー３６ａとが配設されている。これら供給ローラー３４及び従動ローラー３４ａと、媒体送りローラー３６及び従動ローラー３６ａとは、支持部材（図示せず）を介してテーブル台４３に固定され、その状態で吸着テーブル３３ａを挟んでその両側に配設されている。供給ローラー３４及び従動ローラー３４ａは、吸着テーブル３３ａの上流側、すなわち供給リール３１側に配設されており、媒体送りローラー３６及び従動ローラー３６ａは、吸着テーブル３３ａの下流側、すなわち巻取リール３２側に配設されている。
【００３０】
テーブル台４３は、Ｙ軸走査機構４２によってＹ軸方向に移動可能になっており、かつ、Ｙ軸方向における任意の位置に保持可能になっている。また、このテーブル台４３上に配置された吸着テーブル３３ａ、供給ローラー３４及び従動ローラー３４ａ、媒体送りローラー３６及び従動ローラー３６ａも、Ｙ軸走査機構４２によってＹ軸方向に移動可能になっており、かつ、Ｙ軸方向における任意の位置に保持可能になっている。
【００３１】
供給排出機構部３が備える供給リール３１と、アイドラローラー３７と、吸着ユニット３３と、アイドラローラー３８と、巻取リール３２とは、記録媒体１０の供給方向であるＹ軸方向においてこの順に配置されており、供給リール３１側が記録媒体１０の供給方向における上流側、巻取リール３２側が下流側になっている。
【００３２】
また、吸着ユニット３３において、供給ローラー３４及び従動ローラー３４ａと、吸着テーブル３３ａと、媒体送りローラー３６及び従動ローラー３６ａとは、Ｙ軸方向においてこの順に配置されている。したがって、供給排出機構部３において、供給リール３１と、アイドラローラー３７と、供給ローラー３４及び従動ローラー３４ａと、吸着テーブル３３ａと、媒体送りローラー３６及び従動ローラー３６ａと、アイドラローラー３８と、巻取リール３２とは、Ｙ軸方向においてこの順に配置されている。
【００３３】
供給リール３１には、帯状の記録媒体１０が巻かれており、供給モーター（図示せず）によって供給リール３１が回転させられることにより、記録媒体１０が繰り出されるようになっている。従動ローラー３４ａは、その外周が供給ローラー３４の外周に接して配置されており、付勢装置（図示せず）によって供給ローラー３４に押し付けられている。供給ローラー３４は、供給モーター（図示せず）によって回転させられるようになっており、この供給ローラー３４に直接又は間接的に接する従動ローラー３４ａは、供給ローラー３４の回転に従動して回転するようになっている。このような構成のもとに、これら供給ローラー３４と従動ローラー３４ａとの間に挟持される記録媒体１０は、供給ローラー３４の回転によって送られるようになっている。
【００３４】
アイドラローラー３７は、その回転軸がＺ軸方向に揺動可能になっており、かつ、揺動方向の一方（本実施形態では下方）に付勢されている。また、このアイドラローラー３７は、記録媒体１０における、供給リール３１と、供給ローラー３４及び従動ローラー３４ａとの間の部分に、前記付勢力によって当接させられている。このような構成のもとに記録媒体１０は、アイドラローラー３７によって付勢されることにより、供給リール３１とアイドラローラー３７との間、及びアイドラローラー３７と供給ローラー３４及び従動ローラー３４ａとの間の部分が、弛み無く張られた状態になっている。
【００３５】
したがって、記録媒体１０は、供給ローラー３４と従動ローラー３４ａとの間に供給されて挟持される際の状態が、略平坦に維持され易くなっている。なお、供給ローラー３４における記録媒体１０の供給速度と、供給リール３１における記録媒体１０の繰り出し速度との差によって、供給リール３１と供給ローラー３４及び従動ローラー３４ａとの間の部分の弛み量が変動する。しかし、弛み量の変動に追従してアイドラローラー３７の位置が変わることにより、弛み無く張られた状態に維持されるようになっている。また、吸着ユニット３３の移動による、供給リール３１と供給ローラー３４及び従動ローラー３４ａとの間における記録媒体１０の弛み量の変動についても、同様にして、弛み無く張られた状態に維持されるようになっている。
【００３６】
従動ローラー３６ａは、その外周が供給ローラー３６の外周に接して配置されており、付勢装置（図示せず）によって媒体送りローラー３６に押し付けられている。媒体送りローラー３６は、媒体送りモーター（図示せず）によって回転させられるようになっており、この媒体送りローラー３６に直接又は間接的に接する従動ローラー３６ａは、媒体送りローラー３６の回転に従動して回転するようになっている。このような構成のもとに、これら媒体送りローラー３６と従動ローラー３６ａとの間に挟持される記録媒体１０は、媒体送りローラー３６の回転によって送られるようになっている。
【００３７】
ここで、媒体送りローラー３６による送り量は、供給ローラー３４による送り量より多く設定されている。また、媒体送りモーターから媒体送りローラー３６への動力伝達機構には、トルク制御機構（図示せず）が組み込まれている。このような構成のもとに、媒体送りローラー３６において供給ローラー３４より速く送られる記録媒体１０は、供給ローラー３４と媒体送りローラー３６との間の部分が、前記トルク制御機構で制御されたトルクに応じた張力で張られるようになっている。
【００３８】
この張られた部分には、吸着テーブル３３ａの保持面（保持板６１の表面）が対向している。すなわち、記録媒体１０における、吸着テーブル３３ａの保持面上に位置する部分は、前記トルク制御機構で制御されたトルクに応じた張力で張られている。ここで、前述した吸着位置に位置する吸着テーブル３３ａの保持面の位置は、媒体送りローラー３６の外周上端と供給ローラー３４の外周上端とがなす面の位置に略一致している。したがって、吸着位置に位置する吸着テーブル３３ａの保持面は、供給ローラー３４と媒体送りローラー３６との間に張られた記録媒体１０に接してこれを保持するようになっている。
【００３９】
巻取リール３２は、巻取モーター（図示せず）によって回転させられるようになっており、これにより、媒体送りローラー３６から送り出された記録媒体１０は、巻取リール３２に巻き取られるようになっている。
アイドラローラー３８は、その回転軸がＺ軸方向に揺動可能になっており、かつ、揺動方向の一方に付勢されている。また、このアイドラローラー３８は、記録媒体１０における、媒体送りローラー３６及び従動ローラー３６ａと、巻取リール３１との間の部分に、前記付勢力によって当接させられている。このような構成のもとに記録媒体１０は、アイドラローラー３８によって付勢されることにより、媒体送りローラー３６及び従動ローラー３６ａと巻取リール３１との間、及びアイドラローラー３８と巻取リール３２との間の部分が、弛み無く張られた状態になっている。
【００４０】
したがって、記録媒体１０は、巻取リール３２に巻き取られる際の状態が、略平坦に維持され易くなっている。なお、媒体送りローラー３６における記録媒体１０の送り速度と、巻取リール３２における記録媒体１０の巻き取り速度との差によって、媒体送りローラー３６と巻取リール３２との間の部分の弛み量が変動する。しかし、弛み量の変動に追従してアイドラローラー３８の位置が変わることにより、弛み無く張られた状態に維持されるようになっている。また、吸着ユニット３３の移動による、媒体送りローラー３６と巻取リール３２との間における記録媒体１０の弛み量の変動についても、同様にして、弛み無く張られた状態に維持されるようになっている。
【００４１】
このような状態のもとで、記録媒体１０は供給リール３１から巻取リール３２まで送られ、途中の吸着テーブル（媒体保持部）３３ａの保持面３３ｂ上に保持された部位に、記録（印刷）がなされるようになっている。
【００４２】
ヘッド機構部２は、ヘッドキャリッジ２２と、Ｘ軸走査機構１１とを備えている。
Ｘ軸走査機構１１は、Ｘ軸ガイド１１ａとＸ軸スライダー１１ｂと支持台１１ｄとをそれぞれ二組備え、さらにガイドレール支持柱１１ｃを４本備えて構成されている。支持柱台１１ｄは、吸着テーブル３３ａのＸ軸方向に、該吸着テーブル３３ａを挟んでその両側にそれぞれ一つずつ配設されており、前述した一対のＹ軸ガイドレール４２ａ、４２ａを間に挟む位置に配設されている。一方のＹ軸ガイドレール４２ａと支持柱台１１ｄとの間には、メンテナンス部５が配設されている。
【００４３】
二つの支持柱台１１ｄ、１１ｄのそれぞれの上には、そのＹ軸方向おける両端部に、ガイドレール支持柱１１ｃがそれぞれ１本ずつ、計２本立設されている。二つのＸ軸ガイドレール１１ａのうちの一方は、支持柱台１１ｄの供給リール３１の側の端部にそれぞれ立設されたガイドレール支持柱１１ｃ間に架け渡されて、吸着テーブル３３ａの上方にてＸ軸方向に延在した状態で配設されている。また、一対のＸ軸ガイドレール１１ａのうちの他方は、支持柱台１１ｄの巻取リール３２の側の端部にそれぞれ立設されたガイドレール支持柱１１ｃ間に架け渡されて、吸着テーブル３３ａの上方にてＸ軸方向に延在した状態で配設されている。
【００４４】
Ｘ軸スライダー１１ｂは、Ｘ軸ガイドレール１１ａ上に配設されたもので、Ｘ軸駆動モーター（図示せず）によってＸ軸ガイドレール１１ａ上をその延在方向に摺動するように構成されたものである。２本のＸ軸ガイドレール１１ａのそれぞれに支持されたＸ軸スライダー１１ｂには、ヘッドキャリッジ２２のブリッジプレート２７の両端部がそれぞれ固定されている。両端部がそれぞれＸ軸スライダー１１ｂに固定されたブリッジプレート２７は、Ｘ軸スライダー１１ｂに支持された状態で、２本のＸ軸ガイドレール１１ａの間に懸架されている。このような構成のもとに、ブリッジプレート２７は、Ｘ軸駆動モーターによってＸ軸ガイドレール１１ａ上をその延在方向に摺動するようになっており、また、Ｘ軸方向における任意の位置に保持されるようになっている。
【００４５】
ヘッドキャリッジ２２は、ブリッジプレート２７と、サブキャリッジ２８と、ヘッドユニット２１とを備えて構成されている。サブキャリッジ２８は、ブリッジプレート２７の下面略中央部に設けられたもので、このサブキャリッジ２８の下面側には、ヘッドユニット２１が固定されている。ヘッドユニット２１の下面側には吐出ヘッド２０が備えられており、この吐出ヘッド２０の底部側には、図４（ａ）に示すように吐出ノズル２４を形成したノズル基板２５が配設されている。このような構成のもとに吐出ヘッド２０は、前記の吸着テーブル３３ａの保持面３３ｂ上に位置させられるようになっており、その際、ノズル基板２５を保持面３３ｂに対向させるようになっている。
【００４６】
ここで、吸着ユニット３３はＹ軸走査機構４２によってＹ軸方向に移動可能になっており、したがって吸着テーブル３３ａの保持面３３ｂはＹ軸方向に移動可能になっている。すなわち、記録媒体１０における吸着テーブル３３ａの保持面３３ｂに吸着保持された部位を、Ｙ軸方向に走査させることが可能になっている。
一方、サブキャリッジ２８に固定されたヘッドユニット２１の吐出ヘッド２０は、Ｘ軸走査機構１１によってサブキャリッジ２８が設けられたブリッジプレート２７がＸ軸方向に移動させられることにより、Ｘ軸方向に走査させられるようになっている。
【００４７】
このような構成のもとに、Ｘ軸走査機構１１によってヘッドユニット２１の吐出ヘッド２０をＸ軸方向に走査させ、Ｙ軸走査機構４２によって記録媒体１０における吸着テーブル３３ａの保持面３３ｂに吸着保持された部位をＹ軸方向に走査させることができる。すなわち、記録媒体１０における吸着テーブル３３ａの保持面３３ｂに吸着保持された部位のほぼ全面に対して、吐出ヘッド２０の吐出ノズル２４を対向させることができるようになっている。
【００４８】
よって、吸着テーブル３３ａの保持面３３ｂ上に吸着保持された記録媒体１０の被記録部分を、Ｙ軸方向の吐出位置まで移動させて停止させ、ヘッドユニット２１のＸ軸方向の移動に同調させて、吐出ヘッド２０から紫外線硬化型インクを液滴として吐出させることで、記録媒体１０上の所望位置に紫外線硬化型インクの液滴（ドット）を配することができる。したがって、ヘッドユニット２１をＸ軸方向に移動させる主走査と、吸着テーブル３３ａの保持面３３ｂに吸着保持された記録媒体１０をＹ軸方向に移動させる副走査（改行）とを制御することにより、吸着テーブル３３ａの保持面３３ｂに保持された記録媒体１０上の任意の位置にヘッドユニット２１の吐出ヘッド２０を対向させ、その状態で紫外線硬化型インクを液滴として吐出させることができる。これにより、記録媒体１０に所望の画像を形成（記録）することが可能になる。
【００４９】
次に、吐出ヘッドについて、図３（ａ）〜（ｃ）を参照して説明する。図３（ａ）〜（ｃ）は吐出ヘッドの概略構成を示す図であり、（ａ）は吐出ヘッド２０の概略構成を示す外観斜視図、（ｂ）は吐出ヘッド２０の内部構造を説明するための要部斜視図、（ｃ）は吐出ヘッド２０の吐出ノズル部分を示す要部側断面図である。なお、図３に示したＸ軸、Ｙ軸、Ｚ軸は、吐出ヘッド２０が液滴吐出装置１に組み込まれた状態を示す図１（ａ）、（ｂ）における、Ｘ軸、Ｙ軸、Ｚ軸に一致している。
【００５０】
図３（ａ）に示すように吐出ヘッド２０は、ノズル基板２５を備えて形成されており、ノズル基板２５には、多数の吐出ノズル２４が直線状に配列されてなるノズル列２４Ａが２列形成されている。そして、吐出ノズル２４から紫外線硬化型インクを液滴として吐出し、対向する記録媒体１０の面上に着弾させることで、記録媒体１０上の所望位置に紫外線硬化型インクを配することができるようになっている。
ノズル列２４Ａは、Ｙ軸方向に沿って形成されたもので、吐出ノズル２４を等間隔に配置したものである。なお、２列のノズル２４Ａ間では、吐出ノズル２４の位置が半ピッチずれた千鳥状になっている。
【００５１】
図３（ｂ）、（ｃ）に示すように吐出ヘッド２０は、ノズル基板２５上に圧力室プレート５１を積層し、さらに圧力室プレート５１上に振動板５２を積層したものである。圧力室プレート５１には、吐出ヘッド２０に供給される紫外線硬化型インクが常に充填される液たまり５５が形成されており、液たまり５５は、振動板５２とノズル基板２５と、壁部（図示せず）とに囲まれた空間からなっている。紫外線硬化型インクは、振動板５２の液供給孔５３を経由して液たまり５５に供給されるようになっている。また、圧力室プレート５１には、複数のヘッド隔壁５７によって区画された圧力室５８が形成されている。
【００５２】
圧力室５８は吐出ノズル２４のそれぞれに対応して設けられており、圧力室５８の数と吐出ノズル２４の数とは同じになっている。圧力室５８には、２つのヘッド隔壁５７の間に位置する供給口５６を介して、液たまり５５から機能液が供給されるようになっている。ヘッド隔壁５７の圧力室５８と吐出ノズル２４と供給口５６との組は、液たまり５５に沿って１列に並んでおり、１列に並んだ吐出ノズル２４がノズル列２４Ａを形成している。図３（ｂ）では図示を省略しているが、吐出ノズル２４Ａを含むノズル列２４Ａに対して、その側方にもう１列のノズル列２４Ａが形成されている。
【００５３】
図３（ｃ）に示すように振動板５２上には、それぞれの圧力室５８に対応して、圧電素子５９が配置されている。圧電素子５９は、下部電極と上部電極との間に圧電層を挟持してなるもので、電極間に駆動電圧が印加されることで、対応する吐出ノズル２４から紫外線硬化型インクを吐出させるようになっている。
【００５４】
次に、ヘッド機構部２が備えるヘッドユニット２１の概略構成について、図４を参照して説明する。図４は、ヘッドユニットの概略構成を示す底面図である。なお、図４に示したＸ軸及びＹ軸は、図１に示したＸ軸及びＹ軸に一致している。
図４に示すようにヘッドユニット２１は、サブキャリッジ２８の下面に取り付けられたユニットプレート２３と、ユニットプレート２３の下面側に搭載された９個の吐出ヘッド２０とを有し、さらにこれら９個の吐出ヘッド２０のＸ軸方向における両側に、紫外線を照射する照射装置８０をそれぞれ配設したものである。
【００５５】
吐出ヘッド２０は、ノズル基板２５を下方に向けた状態で、保持部材（図示せず）によってユニットプレート２３に固定されている。また、９個の吐出ヘッド２０は、Ｙ軸方向に分かれて、それぞれ３個ずつの吐出ヘッド２０からなるヘッド組２０Ａを、３つ形成している。なお、各吐出ヘッド２０のノズル列２４Ａは、ヘッドユニット２１が液滴吐出装置１に取り付けられた状態で、Ｙ軸方向に沿って配列させられている。
【００５６】
一つのヘッド組２０Ａを構成する３個の吐出ヘッド２０は、Ｙ軸方向において、互いに隣り合う吐出ヘッド２０の、一方の吐出ヘッド２０の端の吐出ノズル２４に対して、もう一方の吐出ヘッド２０の端の吐出ノズル２４が、半ノズルピッチずれて配置されている。このような構成のもとにヘッド組２０Ａが有する３個の吐出ヘッド２０は、全ての吐出ノズル２４のＸ軸方向の位置を同じにすると、全ての吐出ノズル２４がＹ軸方向に半ノズルピッチの等間隔で並ぶようになる。すなわち、Ｘ軸方向の同じ位置において、それぞれの吐出ヘッド２０が有するそれぞれのノズル列２４Ａを構成する吐出ノズル２４から吐出される液滴は、設計上では、Ｙ軸方向に等間隔に並んで一直線に着弾するようになる。したがって、一つのヘッド組２０Ａが備える３個の吐出ヘッド２０が有する６列のノズル列２４Ａは、１本のノズル列として扱うことができる。当該ノズル列は、例えば１８０個の６倍である１０８０個の吐出ノズル２４を有し、Ｙ軸方向におけるノズルピッチは７０μｍであり、Ｙ軸方向の両端の吐出ノズル２４の中心間距離（ノズル列長さ）は約７５．５ｍｍである。なお、吐出ヘッド２０は、Ｙ軸方向において互いに重なるため、Ｘ軸方向に階段状に並んでヘッド組２０Ａを構成している。
【００５７】
また、ヘッドユニット２１が有する３つのヘッド組２０Ａは、全ての吐出ノズル２４のＸ軸方向の位置を同じにすると、全ての吐出ノズル２４がＹ軸方向に半ノズルピッチの等間隔で並ぶようになっている。すなわち、Ｘ軸方向の同じ位置において、それぞれの吐出ヘッド２０が有するそれぞれのノズル列２４Ａを構成する吐出ノズル２４から吐出される液滴は、設計上では、Ｙ軸方向に等間隔に並んで一直線に着弾するようになっている。したがって、ヘッドユニット２１が備える三つのヘッド組２０Ａにおける９個の吐出ヘッド２０が有する１８列のノズル列２４Ａは、１本のノズル列として扱うことができる。当該ノズル列を「ユニットノズル列２４０Ａ」と表記すると、このユニットノズル列２４０Ａは、例えば１８０個の１８倍である３２４０個の吐出ノズル２４を有し、Ｙ軸方向におけるノズルピッチは７０μｍであり、Ｙ軸方向の両端の吐出ノズル２４の中心間距離（ノズル列長さ）は約２２６．７ｍｍである。すなわち、一つのヘッドユニット２１の吐出ノズル２４から一滴ずつ吐出させて、Ｘ軸方向が同じ位置になるように着弾させると、３２４０個のドットが７０μｍのピッチ間隔で連なる直線が形成されるようになる。
【００５８】
照射装置８０は、紫外線光源（図示せず）を備えて構成されたもので、紫外線光源を下方に向けた状態でサブキャリッジ２８又はユニットプレート２３に固定されている。照射装置８０は、前記したように吐出ヘッド２０のＸ軸方向における両側にそれぞれ配設されたものであり、これによって吐出ヘッド２０から記録媒体１０に向けて紫外線硬化型インクが吐出された直後に、記録媒体１０に着弾した紫外線硬化型インクに対して紫外線を照射できるようになっている。すなわち、吐出ヘッド２０はＸ軸方向に走査されつつ、紫外線硬化型インクを吐出する。したがって、ユニットプレート２３がＸ軸方向に走査された際、走査方向に対して後側に位置する照射装置８０から記録媒体１０に向けて紫外線を照射することにより、記録媒体１０上に着弾している紫外線硬化型インクに対して紫外線を照射することができるようになっている。
【００５９】
ここで、紫外線光源としては、メタルハライドランプ、キセノンランプ、カーボンアーク灯、ケミカルランプ、低圧水銀ランプ、高圧水銀ランプ等を用いることができる。また、紫外帯域で発光するＬＥＤを用いることもできる。
【００６０】
このような紫外線光源から照射される紫外線によって硬化する紫外線硬化型インクとしては、ビヒクル、光重合開始剤および顔料の混合物に、消泡剤、重合禁止剤等の補助剤を添加して調合されたものが挙げられる。ビヒクルは、光重合硬化性を有するオリゴマー、モノマー等を、反応性希釈剤により粘度調整して調合される。したがって、インクを硬化させ目的で溶媒を揮発させることはない。
【００６１】
ビヒクルとしては、単官能あるいは多官能の重合性化合物が使用できる。より具体的には、ポリエステルアクリレート、エポキシアクリレート、ウレタンアクリレート等のオリゴマー（プレポリマー）を例示でき、インクとしての粘度を調整する反応性希釈剤もこれらの材料を用いることができる。
【００６２】
光重合開始剤としては、ベンゾフェノン系、ベンゾイン系、アセトフェノン系、チオキサントン系が広く用いられる。より具体的には、４−ｂｅｎｚｏｙｌ−Ｎ，Ｎ，Ｎ−ｔｒｉｍｅｔｈｙｌ ｂｅｎｚｅｎｅ ｍｅｔｈａｎｅａｎｎｍｏｎｉｕｍ ｃｈｌｏｒｉｄｅ、２−ｈｙｄｒｏｘｙ ３−（４−ｂｅｎｚｏｙｌ−ｐｈｅｎｏｘｙ）−Ｎ，Ｎ，Ｎ− ｔｒｉｍｅｔｈｙｌ １−ｐｒｏｐａｎｅ ａｎｎｍｏｎｉｕｍ ｃｈｌｏｒｉｄｅ、４−ｂｅｎｚｏｙｌ−Ｎ，Ｎ−ｄｉｍｅｔｈｙｌ Ｎ−［２− （１−ｏｘｏ−２−ｐｒｏｐｅｎｙｌｏｘｙ） ｅｔｈｙｌ］ ｂｅｎｚｅｎｅ ｍｅｔｈａｍｍｏｎｉｕｍ ｂｒｏｍｉｄｅ等、第４級アンモニウム塩型の水溶性有機物等を用いることができる。この種の光重合開始剤は、その組成に応じて、紫外線吸収特性、反応開始効率、黄変性等が異なるので、インクとしての色等に応じて使い分けられる。
【００６３】
重合禁止剤としては、ラジカル捕捉能力を有してラジカル重合を阻害する化合物であれば何れも使用できる。ただし、インクジェット式記録装置における吐出適性等を配慮すると、ハイドロキノン類、カテコール類、ヒンダードアミン類、フェノール類、フェノチアジン類、縮合芳香族環のキノン類から選択された少なくとも１種類以上の化合物が好ましい。
【００６４】
ハイドロキノン類としては、ハイドロキノン、ハイドロキノンモノメチルエーテル、１−ｏ−２，３，５−トリメチルハイドロキノン、２−ｔｅｒｔ−ブチルハイドロキノン等を例示できる。カテコール類としては、カテコール、４−メチルカテコール、４−ｔｅｒｔ−ブチルカテコール等を例示できる。ヒンダードアミン類としては、テトラメチルピペリジニル基を有する化合物等を例示できる。
【００６５】
また、フェノール類としては、フェノール、ブチルヒドロキシトルエン、ブチルヒドロキシアニソール、ピロガロール、没食子酸、没食子酸アルキルエステル等を例示できる。フェノチアジン類としては、フェノチアジン等を例示できる。前記縮合芳香族環のキノン類としては、ナフトキノン等を例示できる。
【００６６】
さらに、重合禁止剤は、カーボンブラックまたは表面に重合防止官能基を導入した無機・有機微粒子であってもよい。重合防止官能基としては、例えば、ヒドロキシフェニル基、ジヒドロキシフェニル基、テトラメチルピペリジニル基、縮合芳香族環等を例示できる。
【００６７】
なお、このような紫外線硬化型インクとしては、顔料や染料等の色成分を含む、色材としてのカラーインクが挙げられるが、アンダーコート、オーバーコートを行うためのクリアインクを挙げることもできる。すなわち、本発明では、紫外線硬化型インク、つまり紫外線硬化性を有する成分を含む機能液として、前記のカラーインクとクリアインクの両方を含んでいる。
【００６８】
このような構成からなる液滴吐出装置１によって記録媒体１０に画像を印刷（記録）するには、図２（ａ）に示したように予めテーブル６０上に保持板６１を載置し固定して吸着テーブル３３ａをセットしておく。次いで、吸引ポンプを作動させて吸着溝６２ａ、６２ｂを介して吸着孔６３…によって吸引し、記録媒体１０の所定部位を保持板６１の表面（保持面）上に保持固定する。
【００６９】
そして、図１（ａ）、（ｂ）に示したようにＸ軸走査機構１１によってヘッドユニット２１の吐出ヘッド２０をＸ軸方向に走査させ、かつ、Ｙ軸走査機構４２によって記録媒体１０における吸着テーブル３３ａの保持面に吸着保持された部位をＹ軸方向に走査させつつ、吐出ヘッド２０から紫外線硬化型インクを記録媒体１０に向けて吐出し、着弾させる。
【００７０】
このようにして紫外線硬化型インクを記録媒体１０に着弾させた後、照射装置８０の紫外線光源から記録媒体１０に向けて紫外線を照射する。すると、紫外線光源からの紫外線の一部は記録媒体１０上に着弾している紫外線硬化型インクを直接照射し、これの硬化を進ませる。また、紫外線光源からの紫外線の残部は透光性の記録媒体１０を透過し、吸着テーブル３３ａの保持面３３ｂで反射される。
【００７１】
その際、記録媒体１０の保持面となる保持板６１の表面には、多数の吸着孔６３の開口が形成されているものの、これら吸着孔６３はその孔径が０．６ｍｍ以下となっているので、後述する実験データから明らかなように、記録媒体１０に形成される記録画像に該吸着孔６３が影響するのが防止される。
すなわち、吸着孔６３の孔径が０．６ｍｍ以下と十分に小さいことから、保持板６１の表面を反射した反射光には吸着孔６３の開口の影響がほとんど無く、したがってこの反射光が再度記録媒体１０上の紫外線硬化型インクに照射された際、紫外線硬化型インクの硬化はさらに進むものの、その硬化には吸着孔６３の開口がほとんど影響しなくなる。
【００７２】
よって、本実施形態の液滴吐出装置１にあっては、吸着孔６３に起因して形成する記録画像の画質が損なわれるのを防止することができる。
また、媒体保持部となる吸着テーブル３３ａを、吸着溝６２ａ、６２ｂを有したテーブル６０と、吸着孔６３を有する保持板６１とから構成しているので、保持板６１のみに吸着孔６３を形成することで、吸着孔６３の加工を容易にすることができる。また、吸着孔６３にインクあるいはインクミストが付着するなど保持板６１に不具合が生じた際に、保持板６１のみを交換すればよいため、メンテナンスコストを抑えることができる。
【００７３】
また、保持板６１において、吸着孔６３を縦横にそれぞれ複数列ずつ形成配置しているので、記録媒体１０に対する吸着保持力が安定し、したがって保持板６１上に記録媒体１０を安定して保持することができる。
【００７４】
なお、本発明は前記実施形態に限定されることなく、本発明の要旨を逸脱しない範囲で種々の変更が可能である。
例えば、前記実施形態では、本発明の液滴吐出装置を、連続した長尺な記録媒体に対して印刷を行う印刷装置に適用したが、本発明はこれに限定されることなく、例えば対象とする記録媒体としては長尺なものでなく矩形状の透光性基板とすることもできる。また、このような透光性基板としては、前述した透光性の樹脂以外に、ガラス基板を対象とすることもできる。
また、前記実施形態では、照射装置８０は、サブキャリッジ２８又はユニットプレート２３に固定され、Ｘ軸走査機構１１によってヘッドユニット２１をＸ軸方向に走査させるシリアル型の印刷装置に適用したが、本発明はこれに限定されることなく、ヘッドキャリッジの長さが記録媒体１０の印刷領域の幅方向の長さ以上であるヘッドキャリッジ、いわゆるラインヘッドを採用してもよい。また、記録媒体１０の印刷領域の幅方向の長さ以上の長さを有する照射装置、いわゆる、ライン状の照射装置を採用してもよい。
また、前記実施形態では、本発明を主に工業的な用途の液滴吐出装置に適用した場合について説明したが、民生用途のプリンターに本発明を適用することもできる。
【００７５】
［実験例１］
まず、吸着テーブル３３ａとして、図２（ｂ）に示したように吸着溝６２ａ、６２ｂを有したＳＵＳ（ステンレス）製のテーブル６０のみを用い、これの上に直接記録媒体を載せた。なお、吸着溝６２ａ、６２ｂについては、その溝幅を５ｍｍ、深さを２ｍｍとした。また、記録媒体としては、０．５ｍｍの厚さのポリカーボネイトシートにＰＥＴフィルムを貼着した透光性のものを用いた。そして、その状態で吸引ポンプによって吸引し、吸着溝６２ａ、６２ｂによってテーブル６０の上面に記録媒体を保持固定した。その後、前記実施形態と同様にして吐出ヘッド２０から記録媒体の全面に紫外線硬化型インクを吐出し、着弾したインクに対して照射装置８０から紫外線を照射し、インクを硬化させた。
【００７６】
インクを硬化させた記録媒体を顕微鏡で１００倍に拡大して見たところ、吸着溝６２ａ、６２ｂの開口内に対応する箇所ではインクとインクとの間に隙間があるのが認められた。一方、吸着溝６２ａ、６２ｂの開口内とは異なるテーブル６０の表面上では、インクとインクとの間に隙間が認められなかった。また、記録媒体をその上方から肉眼で俯瞰して見ると、吸着溝６２ａ、６２ｂの開口に対応する箇所が薄くなって溝跡が視認された。
【００７７】
［実験例２］
吸着テーブル３３ａとして、実験例１で用いたテーブル６０上に、図２（ｃ）に示したように吸着孔６３を縦横にそれぞれ９個ずつ、合計８１個形成した、厚さ０．５ｍｍのＳＵＳ（ステンレス）製の保持板６１を載置固定したものを用い、これの上に直接記録媒体を載せた。なお、吸着孔６３については、レーザー口径（ビーム径）を０．２ｍｍとしてレーザー照射による打ち抜き加工で形成した。全ての吸着孔６３について、保持板６１の表面（上面）側、すなわち記録媒体１０を保持する側の孔径を測定した。得られた測定結果を、図２（ｃ）に示した各吸着孔６３の位置に対応させて、表１に示す。
【００７８】
【表１】
2015127146.tif 000003
【００７９】
表１に示すようにレーザー口径（ビーム径）を０．２ｍｍとして打ち抜き加工しているものの、形成された孔は加工時に拡がることにより、平均で５２６μｍの孔径となっていた。また、最大径は６２７μｍ、最小径は５２６μｍであった。なお、保持板６１の裏面（下面）側の孔径も参考として測定した結果、約３００μｍ程度であった。
【００８０】
このような保持板６１に記録媒体を載せ、その状態で吸引ポンプによって吸引し、吸着溝６２ａ、６２ｂを介して吸着孔６３によって保持板６１の上面に記録媒体を保持固定した。なお、記録媒体としては、実施例１と同様のものを用いた。その後、実験例１と同様にして吐出ヘッド２０から記録媒体の全面に紫外線硬化型インクを吐出し、着弾したインクに対して照射装置８０から紫外線を照射し、インクを硬化させた。
【００８１】
インクを硬化させた記録媒体を顕微鏡で１００倍に拡大して見たところ、吸着孔６３の開口内に対応する箇所でも、インクとインクとの間に隙間が認められなかった。また、記録媒体をその上方から肉眼で俯瞰して見ても、吸着孔６３の開口に対応する孔跡は視認されなかった。
よって、吸着孔６３の孔径を０．６ｍｍ（６００μｍ）以下とすることで、記録媒体の記録画像に該吸着孔６３が影響するのを抑制し、得られる記録画像の画質が損なわれるのを防止することができることが分かった。
【符号の説明】
【００８２】
１…液滴吐出装置、１０…記録媒体、２０…吐出ヘッド、３３ａ…吸着テーブル（媒体保持部）、３３ｂ…保持面、６０…テーブル、６１…保持板、６２ａ、６２ｂ…吸着溝、６３…吸着孔、８０…照射装置。
【図１】
2015127146.tif 000004
【図２】
2015127146.tif 000005
【図３】
2015127146.tif 000006
【図４】
2015127146.tif 000007
【手続補正書】
【提出日】平成27年3月25日(2015.3.25)
【手続補正１】
【補正対象書類名】特許請求の範囲
【補正対象項目名】全文
【補正方法】変更
【補正の内容】
【特許請求の範囲】
【請求項１】
記録媒体を保持する媒体保持部と、紫外線硬化性を有する成分を含む機能液を前記媒体保持部に保持された前記記録媒体に向けて吐出する吐出ヘッドと、前記媒体保持部に保持された前記記録媒体に向けて紫外線を照射する照射装置と、を備える液滴吐出装置であって、
前記媒体保持部は、負圧源に接続する吸着溝を有したテーブルと、前記テーブルの上面に載置され、前記上面との間に間隙を介して固定された保持板と、を備え、
前記保持板には、前記記録媒体を保持する側の面に、前記記録媒体を吸着する複数の吸着孔が設けられることを特徴とする液滴吐出装置。
【請求項２】
前記吸着孔は、孔径が６２７μｍ以下であることを特徴とする請求項１に記載の液滴吐出装置。
【請求項３】
前記吸着孔は、孔径が３００μｍ以上であることを特徴とする請求項１又は２に記載の液滴吐出装置。
【請求項４】
前記吸着孔は、前記保持板において縦横にそれぞれ複数列ずつ配置されていることを特徴とする請求項１〜３のいずれか一項に記載の液滴吐出装置。
【請求項５】
前記記録媒体として、透光性の記録媒体が用いられることを特徴とする請求項１〜４のいずれか一項に記載の液滴吐出装置。